(57)【要約】【課題】 様々な家電製品に対する使用説明書をユーザが理解し易く、検索し易いコンテンツとして実現して提供することができ、これと同時に広告効果を実現することのできる移動式記憶媒体技術を提供すること。【解決手段】 家電製品別の使用説明に対するコンテンツカテゴリを分類し、各家電製品の使用説明に関する動画像情報を含む起動コンテンツ及び広告情報コンテンツを保存する家電コンテンツ保存部３００と、多数の家電製品の目録別の使用説明に関する動画像情報を含む起動コンテンツファイルの項目別のリストを取り出し、選択される起動コンテンツ及び前記広告情報コンテンツを結合して再生可能な複合コンテンツを生成して起動する制御部２００と、外部端末との接続を行って前記複合コンテンツ情報を外部端末に転送するインタフェース部１００と、を備える、家電製品の使用説明コンテンツを含む移動式記憶媒体。【選択図】  図１
2018010405.tif 000002
【特許請求の範囲】
【請求項１】
家電製品別の使用説明に対するコンテンツカテゴリを分類し、各家電製品の使用説明に関する動画像情報を含む起動コンテンツ及び広告情報コンテンツを保存する家電コンテンツ保存部（３００）と、
多数の家電製品の目録別の使用説明に関する動画像情報を含む起動コンテンツファイルの項目別のリストを取り出し、選択される起動コンテンツ及び前記広告情報コンテンツを結合して再生可能な複合コンテンツを生成して起動する制御部（２００）と、
外部端末との接続を行って前記複合コンテンツ情報を外部端末に転送するインタフェース部（１００）と、
を備える、家電製品の使用説明コンテンツを含む移動式記憶媒体。
【請求項２】
前記制御部（２００）は、
前記家電製品別に区分される使用説明カテゴリをリスティングする家電製品リスティング部（２００Ａ）と、
前記家電製品リスティング部において選択される家電製品の使用説明に関する動画像情報を含む起動コンテンツファイルの項目別のリストを形成するコンテンツリスティング部（２１０）と、
前記コンテンツリスティング部からリストとして提供される起動コンテンツファイルのうちから選択された起動コンテンツを取り出す選択コンテンツ取出部（２２０）と、
前記選択コンテンツ取出部において選択された起動コンテンツに前記広告コンテンツを埋め込んで結合して起動可能な複合コンテンツを生成するファイル生成部（２３０）と、
を備える、請求項１に記載の家電製品の使用説明コンテンツを含む移動式記憶媒体。
【請求項３】
前記家電コンテンツ保存部（３００）は、
多数の家電製品カテゴリ別にそれぞれの家電製品の使用に対する項目別の取扱い動画像又は静止映像のうちの少なくとも一つ以上の起動起動コンテンツを含めて保存する家電製品に対する使用説明コンテンツ保存部（３１０）と、
前記起動コンテンツファイルに埋め込まれる広告コンテンツを保存する広告コンテンツ保存部（３２０）と、
を備える、請求項２に記載の家電製品の使用説明コンテンツを含む移動式記憶媒体。
【請求項４】
前記起動ファイル形成部（２３０）は、
前記起動コンテンツ内に前記広告コンテンツを埋め込んで結合するファイル合成部（２３１）と、
前記起動コンテンツにコンテンツ複製防止情報（ＤＲＭ）を結合する複製防止情報（ＤＲＭ）結合部（２３２）と、
を備える、請求項２又は請求項３に記載の家電製品の使用説明コンテンツを含む移動式記憶媒体。
【請求項５】
前記複製防止情報（ＤＲＭ）結合部（２３２）は、
前記起動コンテンツに結合すべき複製防止情報（ＤＲＭ）を生成する複製防止情報（ＤＲＭ）生成部（２３２ａ）と、
前記複製防止情報（ＤＲＭ）を前記起動コンテンツと同じフォーマットに変換する複製防止情報（ＤＲＭ）変換部（２３２ｂ）と、
前記起動コンテンツ及び複製防止情報（ＤＲＭ）を合成する複製防止情報（ＤＲＭ）合成部（２３２ｃ）と、
を備える、請求項４に記載の家電製品の使用説明コンテンツを含む移動式記憶媒体。
【請求項６】
前記制御部（２００）は、
家電製品の種類別のアフターサービス（ＡＳ）の情報を取り出す家電別アフターサービス（ＡＳ）情報取出部（２４０）と、
選択された前記起動コンテンツから再選択されるアフターサービス（ＡＳ）選択情報に対応するアフターサービス（ＡＳ）依頼信号を前記インタフェース部を介して外部端末からアフターサービス（ＡＳ）会社サーバへと転送するアフターサービス（ＡＳ）信号転送部（２５０）と、
を更に備える、請求項５に記載の家電製品の使用説明コンテンツを含む移動式記憶媒体。
【請求項７】
前記制御部（２００）は、
選択される家電製品に対する起動コンテンツの内容とマッチングされる関連商品に対する広告の内容を分類し、
前記起動コンテンツ内に結合される広告コンテンツ又は翻訳コンテンツの結合位置及び前記広告コンテンツの起動順序を決定して割り振るデータ管理部（２３０）と、
を備える、請求項６に記載の家電製品の使用説明コンテンツを含む移動式記憶媒体。
【請求項８】
選択されて起動される家電製品に対する前記起動コンテンツ内に、起動中の前記家電製品と関連商品に対するサブ広告をマッチングする広告コンテンツマッチング部（２７０）を更に備える、請求項７に記載の家電製品の使用説明コンテンツを含む移動式記憶媒体。
【請求項９】
前記家電コンテンツ保存部（３００）は、
多数の家電製品に対する前記起動コンテンツファイルとマッチングされる翻訳コンテンツを保存する翻訳情報保存部（３３０）を更に備える、請求項８に記載の家電製品の使用説明コンテンツを含む移動式記憶媒体。
【請求項１０】
前記家電別アフターサービス（ＡＳ）情報取出部（２４０）は、
前記家電コンテンツ保存部（３００）内に組み込まれる前記アフターサービス（ＡＳ）情報保存部（３４０）から提供される当該家電製品の修理項目に対するアフターサービス（ＡＳ）場所、アフターサービス（ＡＳ）値段、アフターサービス（ＡＳ）期間、アフターサービス（ＡＳ）コストの情報を表示し、
選択される情報を結合してアフターサービス（ＡＳ）依頼情報を形成する、請求項９に記載の家電製品の使用説明コンテンツを含む移動式記憶媒体。
【発明の詳細な説明】
【技術分野】
【０００１】
本発明は、様々な家電製品に対する使用説明書をユーザが理解し易く、検索し易いコンテンツとして実現して提供することができ、これと同時に広告効果を実現することのできる移動式記憶媒体技術に関する。
【背景技術】
【０００２】
家電製品は、顧客の必要に応えて、大きく変化した多くの種類が提供され、しかも、複合的な機能が内蔵されている。
【０００３】
すなわち、一つの家電製品が有する機能は単一の機能に限定されず、ユーザが認知できない方式の機能を有し、これを操作して使用することも非常に複雑な使い方を内包する場合が日常茶飯事である。
【０００４】
このとき、家電製品を購入するほとんどの顧客が専門用語だらけの図１に例示したようなテキスト形式の使用説明書を家電製品を購入した後に読まずに操作することにより、設置、使用、手入れ要領の未熟知による故障が頻繁に起こり、膨大なコストが発生しているのが現状である。
【０００５】
特に、家電製品は熱に弱いため、初期の設置及び熱の放出に邪魔になる使い方などにより製品の寿命に多くの悪影響を及ぼし、細かい故障を引き起こす原因となるが、ユーザは、これに対する正確な理解なしにエンジニアが設置したままで寿命が尽きるまで使用してしまい、製品が提供する様々なサービスを正常に活用していないという問題が発生する。
【０００６】
また、家電製品の主な部品にストレスを与える要因が多いが、次第に電子機能が追加された家電製品の使用に当たって、ボタンの操作や機能の設定が家電製品の寿命及び故障の原因に及ぼす影響が増えて正確で効率のよい使用説明を非常に手軽に伝える必要性が取り上げられている。
【先行技術文献】
【特許文献】
【０００７】
【特許文献１】大韓民国公開特許第１０−２００９−０１１９２２１号公報
【発明の開示】
【発明が解決しようとする課題】
【０００８】
本発明は、上述した問題を解消するために案出されたものであり、本発明の目的は、様々な家電製品別の使い方や取扱い説明に対する様々な動画像又は静止映像のコンテンツを携帯し易い移動式記憶媒体内に含め、ユーザが様々なディスプレイ媒体を用いて使い方を視聴するようにして使い方を熟知させて、操作の未熟によるアフターサービス（ＡＳ）の頻度を格段に減らすことはもとより、製品の寿命周期を延ばし、細かい故障の予防により社会的なコストを削減することにある。
【課題を解決するための手段】
【０００９】
上述した課題を解決するための手段として、本発明の実施形態では、図２の構成のように、家電製品別の使用説明に対するコンテンツカテゴリを分類し、各家電製品の使用説明に関する動画像情報を含む起動コンテンツ及び広告情報コンテンツを保存する家電コンテンツ保存部３００と、多数の家電製品の目録別の使用説明に関する動画像情報を含む起動コンテンツファイルの項目別のリストを取り出し、選択される起動コンテンツ及び前記広告情報コンテンツを結合して再生可能な複合コンテンツを生成して起動する制御部２００と、外部端末との接続を行って前記複合コンテンツ情報を外部端末に転送するインタフェース部１００と、を備える、家電製品の使用説明コンテンツを含む移動式記憶媒体を提供する。
【発明の効果】
【００１０】
本発明によれば、様々な家電製品別の使い方や取扱い説明に対する様々な動画像又は静止映像のコンテンツを携帯し易い移動式記憶媒体内に含め、ユーザが様々なディスプレイ媒体を用いて使い方を視聴するようにして使い方を熟知させて、操作の未熟によるアフターサービス（ＡＳ）の頻度を格段に減らすことはもとより、製品の寿命周期を延ばし、細かい故障の予防により社会的なコストを削減するという効果がある。
【００１１】
また、非常に簡便な移動式記憶媒体に動画像の形式で収録されて家電製品の使用説明書が提供されるが、多数の取扱い説明項目の中で、自動的にリスティングされる部分のうちから所望の部分を選択して手軽に繰り返し視聴することができることはもとより、起動されるコンテンツ内に様々な広告コンテンツが結合されて繰り返し再生及び視聴を通じて特定の製品及び企業イメージ広告をターゲティングされた顧客に提供することができて広告効果を極大化させることができるという効果がある。
【００１２】
更に、提供される起動コンテンツと結合する広告コンテンツを起動コンテンツの主題や画面にディスプレイされる製品と類似度別にマッチングしてスポット広告などの形式で提示して広告の効果を極大化させることができる。
【００１３】
更にまた、携帯性を有する単品形式の製品を特定の顧客に提供することができるが、移動式記憶媒体に保存される起動コンテンツ及び広告コンテンツの提供がユーザの関心度と一致又は類似する目標顧客を対象として広告することができるので、不特定多数ではなく、核心、見込顧客又はターゲットとなる対象顧客に提供して広報効果を極大化させることもできる。
【図面の簡単な説明】
【００１４】
【図１】従来の家電製品の使用説明書の例示図である。
【図２】本発明の実施形態による主な構成ブロック図である。
【図３】本発明の実施形態による主な構成ブロック図である。
【図４】本発明の実施形態による主な構成ブロック図である。
【図５】本発明の実施形態による起動コンテンツの作用状態に対する例示図である。
【図６】本発明の実施形態による起動コンテンツの作用状態に対する例示図である。
【図７】本発明の実施形態による起動コンテンツの作用状態に対する例示図である。
【発明を実施するための形態】
【００１５】
以下では、添付図面に基づいて本発明による構成及び作用について詳細に説明する。添付図面に基づいて説明するに当たって、図面符号とは無関係に、同じ構成要素には同じ参照符号を付し、これについての重複する説明は省略する。
【００１６】
第１、第２などの用語は、様々な構成要素を説明するのに使用可能であるが、前記構成要素は、前記用語により限定されてはならない。前記用語は、ある構成要素を他の構成要素から区別するために用いられる。
【００１７】
図２を参照すると、これは、本発明の実施形態による様々な家電製品の使用説明をコンテンツとして保存して提供する移動式記憶媒体（以下、「本発明」と称する。）の構成に対するブロック図であり、これと連動する外部端末のシステムの構造を示すものである。
【００１８】
同図に示すように、本発明は、家電製品別の使用説明に対するコンテンツカテゴリを分類し、各家電製品の使用説明に関する動画像情報を含む起動コンテンツ及び広告情報コンテンツを保存する家電コンテンツ保存部３００と、多数の家電製品の目録別の使用説明に関する動画像情報を含む起動コンテンツファイルの項目別のリストを取り出し、選択される起動コンテンツ及び前記広告情報コンテンツを結合して再生可能な複合コンテンツを生成して起動する制御部２００及び外部端末との接続を行って前記複合コンテンツ情報を外部端末に転送するインタフェース部１００を備える家電製品の使用説明コンテンツを含んでいてもよい。
【００１９】
すなわち、本発明は、単一の家電製品又は多数の家電製品に対する使用説明を購買者が理解し易い動画像化された説明として移動式保存装置に提供して、ユーザが利用するコンピュータやテレビ、携帯用ディスプレイ装置、車両のナビゲーションなど所望の場所において必要な使用説明部分のみを手軽に選択して視聴することができ、ユーザが選択した家電製品やその家電製品の部品に対する関連商品の広告を連動して提供して広告効果を極大化させることができる。
【００２０】
本発明による移動式記憶媒体は、携帯可能な様々なメモリ素子を有する装備を通称するものであり、これは、商用化された様々なディスク（ＣＤ）構造物だけではなく、外付け型ハード装備（ＳＳＤ：Ｓｏｌｉｄ Ｓｔａｔｅ Ｄｒｉｖｅ）、汎用直列バス（ＵＳＢ：Ｕｎｉｖｅｒｓａｌ Ｓｅｒｉａｌ Ｂｕｓ）など外部装備に結合して内部のコンテンツを起動する分離型記憶媒体を意味する。以下では、汎用直列バス（ＵＳＢ）を適用して実現する場合一実施形態として説明する。特に、本発明の移動式記憶媒体は、外部端末と結合される構造で起動ファイルを起動するが、外部端末と結合可能なインタフェース部１００を備えることが更に好ましい。
【００２１】
前記制御部２００は、多数の家電製品の目録別の使用説明に関する動画像情報を含む起動コンテンツファイルの項目別のリストを取り出し、選択される起動コンテンツ及び前記広告情報コンテンツを結合して再生可能な複合コンテンツを生成して起動する機能を行う。具体的に、前記制御部２００は、家電製品別に区分される使用説明カテゴリをリスティングする家電製品リスティング部２００Ａを備えて、多数の家電製品に関する使用説明からユーザが所望の映像を選択することができる。この場合、前記家電製品リスティング部２００Ａにおいて選択される家電製品の使用説明に関する動画像情報を含む起動コンテンツファイルの項目別のリストを形成するコンテンツリスティング部２１０を備えて選択に対する正確な項目情報を提供した後、次いで、前記コンテンツリスティング部からリストとして提供される起動コンテンツファイルのうちから選択された起動コンテンツを取り出す選択コンテンツ取出部２２０を備えて、実際に起動される起動動画像を取り出す。前記コンテンツリスティング部２１０においてリスティングされる項目は、家電製品に対するカテゴリが分類された後（例えば、テレビ、コンピュータ、冷蔵庫、エアコンなどの製品に対する分類及び選択）、分類されて選択された製品の使用説明（電源、作動法など）の項目が詳しく動画像ファイルとしてリスティングされ、今後、ユーザは、このような動画像ファイルの全体を選択するか、或いは、一部を選択して視聴することができる。
【００２２】
また、前記制御部２００は、起動ファイル生成部２３０を備えて、前記選択コンテンツ取出部２２０において選択された起動コンテンツに前記広告コンテンツを埋め込んで結合して起動可能な複合コンテンツを生成してもよい。
すなわち、前記起動ファイル生成部２３０の機能は、ユーザが閲覧しようとする家電製品の項目を選択した後、小分類として提供される家電製品の使用説明に対する所望の起動コンテンツを選択する場合、前記選択された起動コンテンツを選択コンテンツ取出部２２０から取り出し、取り出された起動コンテンツは、前記起動ファイル形成部２３０においてディスプレイされるべき起動ファイルとして広告コンテンツと結合して構成される。すなわち、選択された多数の起動コンテンツに前記広告コンテンツ保存部３２０から提供される広告コンテンツを結合して広告が結合されたコンテンツ（以下、「複合コンテンツ」と称する。）を生成する機能を行う。この場合、前記広告コンテンツは、起動コンテンツの起動前に起動されるか、又は、起動コンテンツの中間又は末尾に埋め込んで結合して起動されるように結合してもよい。
【００２３】
このような複合コンテンツを実現するための広告コンテンツを提供する前記家電コンテンツ保存部３００は、多数の家電製品カテゴリ別にそれぞれの家電製品の使用に対する項目別の取扱い動画像又は静止映像のうちの少なくとも一つ以上の起動コンテンツを含めて保存する家電製品に対する使用説明コンテンツ保存部３１０と、前記起動コンテンツファイルに埋め込まれる広告コンテンツを保存する広告コンテンツ保存部３２０と、を備えていてもよい。もちろん、この場合、前記家電コンテンツ保存部３００は、多数の家電製品に対する前記起動コンテンツファイルとマッチングされる翻訳コンテンツを保存する翻訳情報保存部３３０及びアフターサービス（ＡＳ）場所、アフターサービス（ＡＳ）値段、アフターサービス（ＡＳ）期間、アフターサービス（ＡＳ）コストの情報を保存するアフターサービス（ＡＳ）情報保存部３４０を更に備えていてもよい。
【００２４】
本発明における前記家電コンテンツ保存部３００は、前記移動式記憶媒体内に保存される冷蔵庫、コンピュータ、テレビ、エアコンなど家電製品のカテゴリ別の分類と、各家電製品に対する構成及び操作使い方と関連する項目別の動画像、静止映像などのメイン起動コンテンツを保存し、且つ、前記起動コンテンツに結合する様々な広告情報及び起動コンテンツ内にディスプレイされる関連製品と関連するサブ広告を保存することが好ましい。
【００２５】
また、図示はしないが、本発明における移動式記憶媒体は、所定の容量のＮＡＮＤ（否定論理積）又はＮＯＲ（否定論理和）メモリにより構成され、任意の情報を保存するためのフラッシュメモリを備え、前記コンテンツ保存部３００は、このようなフラッシュメモリの一部の空間を割くか、又は、別途のメモリ構造に実現される。
【００２６】
前記使用説明コンテンツ保存部３１０に保存される起動コンテンツは、家電製品の項目を選択した後、分類される当該家電製品の様々な操作が必要とする構成に対する動画像や通常の使用説明と関連する動画像、故障有無の自己診断法などを様々な顧客層をターゲットとしてそれに最適なコンテンツを任意に選択して保存してもよい。これは、携帯性を有する単品形式の製品を特定の顧客に提供することができるが、移動式記憶媒体に保存される起動コンテンツ及び広告コンテンツの提供がユーザの関心度と一致又は類似する目標顧客を対象として広告することができるので、不特定多数ではなく、核心又は見込顧客に提供して広報効果を奏するためである。
【００２７】
前記広告コンテンツ保存部３２０は、様々な広告コンテンツを保存するものであり、大きく、広告を頼む外部のクライアントが提供する一般的な広告コンテンツ及び上述した起動コンテンツと関連するターゲット製品に対する広告であるサブ広告コンテンツを含めて保存してもよい。前記一般的な広告コンテンツは、家電製品、自動車、金融、教育、スポーツ、ファッション、食品などジャンルを問わずに上述した起動コンテンツに埋め込まれる構造に実現される通常の広告物（動画像、静止映像、テキスト、イメージなど）を意味する。
【００２８】
また、前記サブ広告コンテンツは、起動コンテンツ、例えば、テレビのビデオ・オン・デマンド（ＶＯＤ）の再視聴の使用説明であれば、ビデオ・オン・デマンド（ＶＯＤ）を３Ｄで視聴可能な偏光眼鏡やステレオなど様々な装備などに対する広告により形成されてもよい。
【００２９】
前記翻訳情報保存部３３０は、前記起動コンテンツの起動に際して露出される音声やテキストに対する外国語翻訳音声又はテキスト（字幕）を含むものであり、英語、日本語、中国語、アラブ語、ドイツ語などマーケティング顧客の対象に応じて様々なタイプの翻訳コンテンツが起動コンテンツと結合できるようにして使い勝手を高めると共に、広告効果を全世界の家電製品に対する購買者を対象として言語的な側面で広げることができる。
【００３０】
図３及び図４は、上述した本発明の広告情報が結合する使用説明に対するコンテンツを実現する起動ファイル形成部２３０の機能を説明するためのブロック図である。図３及び図４を参照すると、上述した家電製品の使用説明に対する所望の起動コンテンツを選択する場合、選択された起動コンテンツを選択コンテンツ取出部２２０から取り出す過程後に、起動コンテンツ内に前記家電コンテンツ保存部３００の広告コンテンツ保存部３２０が提供される広告コンテンツを埋め込んで結合し、特に、この場合、起動コンテンツにコンテンツ複製防止情報（ＤＲＭ）を結合してもよい。具体的には、本発明の実施形態における前記起動ファイル生成部２１０は、取り出された前記起動コンテンツ内に前記広告コンテンツを埋め込んで結合するファイル合成部２３１と、前記起動コンテンツにコンテンツ複製防止情報（ＤＲＭ：Ｄｉｇｉｔａｌ Ｒｉｇｈｔｓ Ｍａｎａｇｅｍｅｎｔ、以下、「ＤＲＭ」と称する。）を結合する複製防止情報（ＤＲＭ）結合部２３２と、を備えていてもよい。
【００３１】
すなわち、家電製品に対する使用説明の内容を含む動画像や静止映像などのコンテンツに複製防止マークを埋め込んで結合して、不法複製を防ぐか、又は、専用コンテンツプレイヤのみを用いてディスプレイする。このために、図４に示すように、本発明による前記複製防止情報（ＤＲＭ）結合部２３２は、図２に示すように、選択されて取り出された前記起動コンテンツに結合すべき複製防止情報（ＤＲＭ）を生成する複製防止情報（ＤＲＭ）生成２３２ａと、前記複製防止情報（ＤＲＭ）を前記起動コンテンツと同じフォーマットに変換する複製防止情報（ＤＲＭ）情報変換部２３２ｂ及び前記起動コンテンツ及び複製防止情報（ＤＲＭ）を合成する複製防止情報（ＤＲＭ）合成部２３２ｃを備えていてもよい。
【００３２】
前記複製防止情報（ＤＲＭ）生成部２３２ａは、上述した起動コンテンツと関連して、コンテンツの使い方、コンテンツの使用に当たっての制限条件及び暗号化方法、暗号化キー、暗号化キーの長さなど情報を生成してもよい。
【００３３】
前記複製防止情報（ＤＲＭ）変換部２３２ｂは、前記複製防止情報（ＤＲＭ）生成部２３２ａにおいて生成された複製防止情報（ＤＲＭ）を前記起動コンテンツと同じフォーマットの複製防止情報（ＤＲＭ）コンテンツに変換する。前記起動コンテンツのフォーマットは、静止映像、動画像、音のうちのいずれか一つにより構成されるが、これと結合すべき複製防止情報（ＤＲＭ）もこれに対応するように変換してもよい。
【００３４】
前記複製防止情報（ＤＲＭ）合成部２３２ｃは、前記起動コンテンツと同じフォーマットの複製防止情報（ＤＲＭ）コンテンツに変換された複製防止情報（ＤＲＭ）をウォータマーキング技法でデジタルコンテンツに合成して複製防止情報（ＤＲＭ）コンテンツを生成してもよい。
【００３５】
上述したように、本発明による起動コンテンツ及び複製防止情報（ＤＲＭ）の合成は、下記の方式により実現されてもよい。例えば、本発明による起動コンテンツが音コンテンツである場合、前記複製防止情報（ＤＲＭ）変換部２３２ｂは、音形式の複製防止情報（ＤＲＭ）コンテンツを前記起動コンテンツにサウンドウォータマーキング技法で合成する。前記音形式の複製防止情報（ＤＲＭ）コンテンツは、人間の耳によく聞こえない音情報の形式で生成されるため、人間は、たとえ前記複製防止情報（ＤＲＭ）コンテンツが合成されても、それによる音の変化を感じられず、これは、本発明による起動コンテンツの専用再生装置から音声認識方法により取り出される。
【００３６】
一方、前記起動コンテンツが静止映像コンテンツである場合、前記複製防止情報（ＤＲＭ）変換部２３２ｂは、静止映像形式の複製防止情報（ＤＲＭ）コンテンツを前記起動コンテンツにイメージウォータマーキング技法で合成する。前記静止映像形式の複製防止情報（ＤＲＭ）コンテンツもまた、人間の目に良く見えないイメージの形式で生成されるため、人間は、たとえ前記複製防止情報（ＤＲＭ）コンテンツが合成されても、それによるイメージ形式の変化をほとんど感じられず、これは、前記音形式のコンテンツでのように、起動コンテンツの専用再生装置から映像認識方法により取り出される。
【００３７】
また、前記起動コンテンツが動画像コンテンツである場合には、上述したように、複製防止情報（ＤＲＭ）が静止映像の形式に変換されるため、変換された静止映像形式のコンテンツが前記動画像の各フレームにイメージウォータマーキング形式で合成される。
【００３８】
このように、本発明による起動コンテンツには、複製防止情報（ＤＲＭ）がデジタルコンテンツと同じフォーマットに変換されてウォータマーキング技法により合成されるため、悪意を持ったユーザが記複製防止情報（ＤＲＭ）を削除しようとする場合や、操作された複製防止情報（ＤＲＭ）で上書きしようとする場合には、合成された原コンテンツそれ自体が毀損されるか、又は、本発明による起動コンテンツ専用再生装置において複製防止情報（ＤＲＭ）が認識されない。このため、本発明による場合、合成された複製防止情報（ＤＲＭ）の削除及び操作が行えなくなる。
【００３９】
本発明の実施形態では、様々な家電製品のアフターサービス（ＡＳ）に関する情報を使用説明に対する起動コンテンツと結合して提供してユーザが手軽にアフターサービス（ＡＳ）情報を確認し、これを申請する機能を提供してもよい。
【００４０】
このために、図３及び図４を参照すると、本発明の制御部２００は、家電製品の種類別のアフターサービス（ＡＳ）の情報を取り出す家電別アフターサービス（ＡＳ）情報取出部２４０及び選択された前記起動コンテンツにおいて再選択されるアフターサービス（ＡＳ）選択情報に対応するアフターサービス（ＡＳ）依頼信号を前記インタフェース部を介して外部端末からアフターサービス（ＡＳ）会社サーバに転送するアフターサービス（ＡＳ）信号転送部２５０を更に備えていてもよい。前記家電別のアフターサービス（ＡＳ）情報取出部２４０は、上述したコンテンツ保存部３００の前記アフターサービス（ＡＳ）情報保存部３４０が提供される当該家電製品と関連する項目に対するアフターサービス（ＡＳ）場所、アフターサービス（ＡＳ）値段、アフターサービス（ＡＳ）期間、アフターサービス（ＡＳ）コストの情報を表示し、取り出し、選択される情報を結合してアフターサービス（ＡＳ）依頼情報を形成する。また、前記家電別のアフターサービス（ＡＳ）情報取出部２４０は、選択されたアフターサービス（ＡＳ）選択情報に対応するアフターサービス（ＡＳ）依頼信号を前記インタフェース部１００を介して外部端末４００からアフターサービス（ＡＳ）会社サーバに転送するアフターサービス（ＡＳ）信号転送部２５０を更に備えていてもよい。
【００４１】
また、本発明の制御部２００は、図３に示すように、選択される家電製品に対する起動コンテンツの内容とマッチングされる関連商品に対する広告内容を分類し、前記起動コンテンツ内に結合される広告コンテンツ又は翻訳コンテンツの結合位置及び前記広告コンテンツの起動順序を決定して割り振るデータ管理部２３０を更に備えていてもよい。
【００４２】
すなわち、本発明による複合コンテンツの起動順序と関連して、前記データ管理部２３０は、動画像の再生に際して、コンテンツに優先して広告データが再生されるように指示するか、又は、起動コンテンツの再生後に広告データが再生されるようにして再生順序を決定して制御する機能を行ってもよく、起動コンテンツに結合する翻訳コンテンツや一般的な広告コンテンツの場合、結合するテキストやイメージ広告結合などの結合位置を決定する。例えば、広告データを動画像コンテンツファイルの頭部及び中間、末尾部分に含める機能を行ってもよい。
更に、本発明の前記制御部２００は、選択されて起動される家電製品に対する前記起動コンテンツ内に、起動中の前記家電製品と関連商品に対するサブ広告をマッチングする広告コンテンツマッチング部２７０を更に備えて、前記広告情報保存部３２０に保存されるサブ広告コンテンツと前記起動コンテンツの内容を比較して、設定された特定の時間や映像地点に関連製品と関連度の高い広告を結合してもよい。
【００４３】
例えば、起動コンテンツの内容と類似するか、又は、主題場面がマッチングされる広告の内容をスポットとしてポップアップ表示するか、又は提供される起動コンテンツを時間単位で場面別に区分して提供しようとする広告内容とマッチングされる場面の後ろに約１〜２秒間スポット広告画面を埋め込んで駆動するように実現されてもよい。これは、一般ドラマの視聴時に見られる間接広告と略同様に提供されて繰り返し視聴する起動コンテンツに提供しようとする広告とマッチングされる場面又は提供しようとする時点に短いスポット広告を埋め込んで消費者が見るのに邪魔にならないように実現することが更に好ましい。
【００４４】
この場合、サブコンテンツには統一資源位置指定子（ＵＲＬ）アドレスを含めて、たとえ起動コンテンツの動作中であっても、図１における外部端末４００が有無線で通信可能な広告サービスサーバ（ウェブサーバを含む）と連動して当該製品の販売サイトや情報サイトに接続できるように実現することも可能である。この場合、前記外部端末４００は、本発明による移動式記憶媒体のインタフェース部と接続して複合コンテンツを起動してディスプレイするモジュールを有するコンピュータ、携帯用ディスプレイ装置、ナビゲーション、モバイル機器などディスプレイ画面を有する装備を通称する概念である。また、前記外部端末４００は、移動式記憶媒体と結合して接続される場合、接続を認知し、その結果によるプラグアンドプレイモジュールを起動するように実現されることが好ましい。或いは、通常の汎用直列バス（ＵＳＢ）の接続時の汎用直列バス（ＵＳＢ）エージェントポップアップ画面を用いて汎用直列バス（ＵＳＢ）メモリ内に保存された情報を確認し、クリック過程を通じて当該複合コンテンツを確認したり起動したりすることも可能である。
【００４５】
図５は、本発明の実施形態による制御部の家電製品リスティング部の機能に応じて家電製品の群が表示され、これらのうちから一つの家電製品項目を選択（テレビ又はエアコン）する場合、項目別の動画像が選択可能なように提示される概念図である。すなわち、図１における家電製品リスティング部２００Ａでは、当該家電製品の項目の全体をリスティングする項目を表示（Ｐ）し、ここで、ユーザは、関心をもっている家電製品を選択すると、コンテンツリスティング部２１０では、図５に示すように、当該家電製品の使用説明の様々な項目のコンテンツを提供し、ユーザは、これらのうちから一つ又は多数のコンテンツを選択（Ｑ）し、次いで、選択される選択コンテンツは、取り出されて上述した起動ファイル形成部２３０において複合コンテンツ化されて起動される。もちろん、この場合、選択される当該家電製品の起動コンテンツには、アフターサービス（ＡＳ）が必要である場合にかかる値段やコスト、アフターサービス（ＡＳ）会社の連絡先などの様々な情報が一緒に表示されるようにすることが好ましい。
【００４６】
図６は、図５の選択コンテンツとしてテレビのリモコンの使用説明に対する動画像を選択した場合、本発明の起動ファイル形成部においてサブ広告とマッチングされて動画像の中間に広告形式で結合して露出される複合コンテンツを実現した場合を例示したものである。この場合、上述したように、本発明の制御部のデータ管理部において、選択される家電製品に対する起動コンテンツの内容とマッチングされる関連商品に対する広告内容を分類し、前記起動コンテンツ内に結合される広告コンテンツ又は翻訳コンテンツの結合位置及び前記広告コンテンツの起動順序を決定して振り割って複合コンテンツを実現する。特に、この場合、広告コンテンツマッチング部２７０（図３参照）において選択されて起動される家電製品に対する前記起動コンテンツ内に、起動中の前記家電製品と関連商品に対するサブ広告をマッチングしてもよいが、現在起動中の動画像がテレビのリモコンに対するものであるため、これと関連する製品広告（ブルーテゥースリモコンなど）を結合して提供してもよい。
【００４７】
もちろん、この場合、図７に示すように、提供される広告映像において当該サブ広告の統一資源位置指定子（ＵＲＬ）やリンクされた製品情報をコンピュータやディスプレイ装備においてクリックする場合、すなわち、図６におけるＹ項目をクリックする場合、詳細情報を有する別途のサブ広告内容を図７における分割画面Ｚや重複画面に露出するように構成してもよい。この場合、サブ広告の内容に含まれている統一資源位置指定子（ＵＲＬ）アドレスなどの情報がある場合には、当該広告サーバやウェブページに直ちに接続可能である。
【００４８】
このため、本発明の実施形態による家電製品の使用説明コンテンツを含む移動式記憶媒体は、移動式記憶媒体に動画像形式で収録されて家電製品の使用説明書が提供されるが、多数の取扱い説明項目の中で、自動的にリスティングされる部分のうちから所望の部分を選択して手軽に繰り返し視聴することができることはもとより、起動されるコンテンツ内に様々な広告コンテンツが結合されて繰り返し再生及び視聴を通じて特定の製品及び企業イメージ広告をターゲティングされた顧客に提供することができて広告効果を極大化させることができる。
【００４９】
上述した本発明による移動式記憶媒体の本実施形態において用いられる「〜部」という用語は、ソフトウェア、フィールドプログラマブルゲートアレイ（ＦＰＧＡ）又は特定用途向け集積回路（アフターサービス（ＡＳ）ＩＣ）などのハードウェア構成要素を意味し、「〜部」はある役割を果たす。しかし、「〜部」は、ソフトウェア又はハードウェアに限定される意味ではない。「〜部」は、アドレッシング可能な記憶媒体にあるように構成されてもよく、一つ又はそれ以上のプロセッサを再生するように構成されてもよい。したがって、例えば、「〜部」は、ソフトウェア構成要素、客体志向ソフトウェア構成要素、クラス構成要素及びタスク構成要素などの構成要素と、プロセス、関数、属性、プロシージャ、サブルーチン、プログラムコードのセグメント、ドライバ、フォームウェア、マイクロコード、回路、データ、データベース、データ構造、テーブル、アレイ及び変数を含む。構成要素及び「〜部」内において提供される機能は、より少ない数の構成要素及び「〜部」に結合されるか、又は、さらなる構成要素及び「〜部」に更に分離される。だけではなく、構成要素及び「〜部」は、デバイス又はセキュリティマルチメディアカード内の一つ又はそれ以上の中央演算装置（ＣＰＵ）を再生するように実現されてもよい。
【００５０】
上述したような本発明の詳細な説明の欄では、具体的な実施形態について説明した。しかしながら、本発明の範囲から逸脱しない範囲内において種々に変形可能である。本発明の技術的思想は、本発明の記述された実施形態に限定されて定められてはならず、特許請求の範囲だけではなく、この特許請求の範囲と均等なものにより定められるべきである。
【符号の説明】
【００５１】
１００：インタフェース部
２００：制御部
２００Ａ：家電製品リスティング部
２１０：コンテンツリスティング部
２２０：選択コンテンツ取出部
２３０：起動ファイル形成部
３００：家電コンテンツ保存部
４００：外部端末
５００：広告サービスサーバ
３２０：広告情報保存部
３３０：翻訳情報保存部
【図１】
2018010405.tif 000003
【図２】
2018010405.tif 000004
【図３】
2018010405.tif 000005
【図４】
2018010405.tif 000006
【図５】
2018010405.tif 000007
【図６】
2018010405.tif 000008
【図７】
2018010405.tif 000009